(57)【要約】【課題】ラッチアームが保護される低背のコネクタ組立体及びそれに使用するコネクタを提供する。【解決手段】コネクタ組立体１は、互いに嵌合する第１コネクタＡ及び第２コネクタＢからなっている。第１コネクタＡは、１列に配列された複数のコンタクト収容筒状部１１，１２、隣接する２個のコンタクト収容筒状部１１，１２間を連結して配設されたラッチアーム１７、及びラッチアーム１７を覆うように２個のコンタクト収容筒状部１１，１２間を連結する壁１３，１５を有する。第２コネクタＢは、コンタクト収容筒状部１１，１２を受容する嵌合部３１，３２、及びラッチアーム１７とラッチ係合する係止部３６を有している。【選択図】　　　図１
2004095346.tif 000002
【特許請求の範囲】
【請求項１】
互いに嵌合する第１コネクタ及び第２コネクタからなり、
前記第１コネクタが、１列に配列された複数のコンタクト収容筒状部、隣接する２個の前記コンタクト収容筒状部間を連結して配設されたラッチアーム、及び該ラッチアームを覆うように前記２個のコンタクト収容筒状部間を連結する壁を有すると共に、
前記第２コネクタが、前記コンタクト収容筒状部を受容する嵌合部、及び前記ラッチアームとラッチ係合する係止部を有することを特徴とするコネクタ組立体。
【請求項２】
前記第１コネクタの前記ラッチアームが嵌合方向に延びるリブを有し、前記第２コネクタの前記係止部が前記リブを案内する溝を有することを特徴とする請求項１記載のコネクタ組立体。
【請求項３】
１列に配列された複数のコンタクト収容筒状部、隣接する２個の前記コンタクト収容筒状部間を連結して配設されたラッチアーム、及び該ラッチアームを覆うように前記２個のコンタクト収容筒状部間を連結する壁を有することを特徴とするコネクタ。
【請求項４】
１列に配列された複数のコンタクト収容筒状部、隣接する２個の前記コンタクト収容筒状部間を連結して配設されたラッチアーム、及び該ラッチアームを覆うように前記２個のコンタクト収容筒状部間を連結する壁を有する相手コネクタに嵌合するコネクタであって、
前記コンタクト収容筒状部を受容する嵌合部、及び前記ラッチアームとラッチ係合する係止部を有することを特徴とするコネクタ。
【発明の詳細な説明】
【０００１】
【発明の属する技術分野】
本発明は、電線と電線、回路基板と電線等の相互接続に使用されるコネクタ組立体及びそれに使用するコネクタに関する。
【０００２】
【従来の技術】
従来のこの種のコネクタとして、例えば、図９に示すものが知られている（実開昭５６−５３８５号公報参照）。
このうち、図９（Ａ）に示すコネクタ１００は、絶縁性のハウジング１１０を備えている。ハウジング１１０は、４個のコンタクト収容室１１１を下列に２個のコンタクト収容室１１１を上列に有している。そして、上列の２個のコンタクト収容室１１１を画定する１対のハウジング壁１１２の対向面には、両ハウジング壁１１２を連結する連結板部１１３が設けられ、連結板部１１３の長手方向中央部から後方（図９（Ａ）における左方）に向けて片持ち梁状のラッチアーム１１４が延びている。そして、ラッチアーム１１４の連結板部１１３との固定端部には、ラッチアーム１１４及び連結板部１１３の上面を跨ぐように係止突起１１５が突出形成されている。また、ラッチアーム１１４の固定端部と反対側の後端部には、ラッチアーム１１４を操作するための操作部１１６が突出形成されている。ラッチアーム１１４の上面及び連結板部１１３の上面は、ハウジング壁１１２の上面と同一面となっている。そして、ハウジング１１０のコンタクト収容室１１１内には、電線に接続された電気コンタクト（図示せず）が収容されるようになっている。
【０００３】
このコネクタ１００は、図示しない相手コネクタと嵌合し、この際に、相手コネクタに設けられた電線に接続された電気コンタクトとコネクタ１００の電気コンタクトとが接触し、電線と電線とが電気的に相互接続されるようになっている。両コネクタの嵌合に際しては、コネクタ１００のラッチアーム１１４に形成された係止突起１１５が相手コネクタに形成された係止部（図示せず）に係止され、両コネクタの嵌合固定が達成されるようになっている。そして、両コネクタの嵌合解除を行う際には、コネクタ１００のラッチアーム１１４に設けられた操作部１１６を下方へ押圧してラッチアーム１１４を下方へ弾性変形させて係止突起１１３の係止を解除するようにしている。
【０００４】
また、図９（Ｂ）に示すコネクタ２００は、図９（Ａ）に示すコネクタ１００と基本的に同様の構成を有するが、連結板部２１３、ラッチアーム２１４、及び係止突起２１５のハウジング壁２１２に対する取り付け方が、連結板部１１３、ラッチアーム１１４、及び係止突起１１５のハウジング壁１１２に対する取り付け方と異なっている。
【０００５】
即ち、上列の２個のコンタクト収容室２１１を画定する１対のハウジング壁２１２の対向面の上下方向略中間部に、両ハウジング壁２１２を連結する連結板部２１３が設けられている。そして、連結板部２１３上面の長手方向中央部から係止突起２１５が立設され、この係止突起２１５から後方（図９（Ｂ）における左方）に向けて片持ち梁状のラッチアーム１１４が延びている。そして、ラッチアーム２１４の、係止突起２１５との固定端部と反対側の後端部には、ラッチアーム２１４を操作するための操作部２１６が突出形成されている。そして、ラッチアーム２１４の上面のみが、ハウジング壁２１２の上面と同一面となっている。
【０００６】
また、電線と電線とを電気的に相互接続する他の例のコネクタとして、例えば、図１０に示すものが知られている（特開２０００−７７１３８号公報参照）。このコネクタ３００は、絶縁性のハウジング３１０を備えている。ハウジング３１０は、複数のコンタクト収容室３１１を上下２列に有している。そして、ハウジング３１０のコンタクト収容室３１１よりも上方には、シーソー状のラッチアーム３１２が設けられ、ラッチアーム３１２の先端には係止突起３１３が形成されている。また、ハウジング３１０には、ラッチアーム３１２を上方から覆って保護する保護壁３１４が設けられている。そして、ハウジング３１０のコンタクト収容室３１１内には、電線に接続された電気コンタクト（図示せず）が収容されるようになっている。
【０００７】
このコネクタ３００は、相手コネクタ４００と嵌合し、この際に、相手コネクタ４００に設けられた電線に接続された電気コンタクト４１１とコネクタ３００の電気コンタクトとが接触し、電線と電線とが電気的に相互接続されるようになっている。両コネクタ３００，４００の嵌合に際しては、コネクタ３００のラッチアーム３１２に形成された係止突起３１３が相手ハウジング４１０に形成された係止凸部４１２に係止され、両コネクタ３００，４００の嵌合固定が達成されるようになっている。
【０００８】
【発明が解決しようとする課題】
しかしながら、これら従来のコネクタ１００，２００，３００にあっては、以下の問題点があった。
即ち、図９に示すコネクタ１００，２００の場合には、ラッチアーム１１４，２１４の上面がハウジング壁１１２，２１２の上面と同一面となっているので、コネクタの低背化が達成されているが、それらラッチアーム１１４，２１４が露出している構成のため、ラッチアーム１１４，２１４を保護することができない。
【０００９】
一方、図１０に示すコネクタ３００の場合には、ラッチアーム３１２を上方から覆って保護する保護壁３１４がハウジング３１０に設けられているため、ラッチアーム３１２を保護することができるが、ラッチアーム３１２がコンタクト収容室３１１の上方に設けられているため、コネクタの低背化を達成することができない。
【００１０】
従って、本発明は上述の問題点に鑑みてなされたものであり、その目的は、ラッチアームが保護される低背のコネクタ組立体及びそれに使用するコネクタを提供することにある。
【００１１】
【課題を解決するための手段】
上記問題を解決するため、本発明のうち請求項１に係るコネクタ組立体は、互いに嵌合する第１コネクタ及び第２コネクタからなり、前記第１コネクタが、１列に配列された複数のコンタクト収容筒状部、隣接する２個の前記コンタクト収容筒状部間を連結して配設されたラッチアーム、及び該ラッチアームを覆うように前記２個のコンタクト収容筒状部間を連結する壁を有すると共に、前記第２コネクタが、前記コンタクト収容筒状部を受容する嵌合部、及び前記ラッチアームとラッチ係合する係止部を有することを特徴としている。
【００１２】
また、本発明のうち請求項２に係るコネクタ組立体は、請求項１記載の発明において、前記第１コネクタの前記ラッチアームが嵌合方向に延びるリブを有し、前記第２コネクタの前記係止部が前記リブを案内する溝を有することを特徴としている。
また、本発明のうち請求項３に係るコネクタ組立体は、１列に配列された複数のコンタクト収容筒状部、隣接する２個の前記コンタクト収容筒状部間を連結して配設されたラッチアーム、及び該ラッチアームを覆うように前記２個のコンタクト収容筒状部間を連結する壁を有することを特徴としている。
【００１３】
さらに、本発明のうち請求項４に係るコネクタは、１列に配列された複数のコンタクト収容筒状部、隣接する２個の前記コンタクト収容筒状部間を連結して配設されたラッチアーム、及び該ラッチアームを覆うように前記２個のコンタクト収容筒状部間を連結する壁を有する相手コネクタに嵌合するコネクタであって、前記コンタクト収容筒状部を受容する嵌合部、及び前記ラッチアームとラッチ係合する係止部を有することを特徴としている。
【００１４】
【発明の実施の形態】
次に本発明の実施形態を図面を参照して説明する。図１は本発明に係るコネクタ組立体の実施形態を縦方向に断面した状態を表す斜視図である。図２は第１コネクタを示し、（Ａ）は斜視図、（Ｂ）は縦方向に断面した状態を表す斜視図である。図３は第１コネクタを示し、（Ａ）は平面図、（Ｂ）は正面図、（Ｃ）は背面図、（Ｄ）は底面図、（Ｅ）は右側面図である。図４は第１コネクタを示し、（Ａ）は図３（Ｂ）の４Ａ−４Ａ線に沿う断面図、（Ｂ）は図３（Ｂ）の４Ｂ−４Ｂ線に沿う断面図である。図５は第２コネクタを示し、（Ａ）は平面図、（Ｂ）は正面図、（Ｃ）は左側面図である。図６は第２コネクタを示し、（Ａ）は図５（Ｂ）の６Ａ−６Ａ線に沿う断面図、（Ｂ）は図５（Ｂ）の６Ｂ−６Ｂ線に沿う断面図である。
【００１５】
図１に示すように、コネクタ組立体１は、互いに嵌合する第１コネクタＡ及び第２コネクタＢから構成される。
ここで、第１コネクタＡは、図１乃至図４に示すように、絶縁性の第１ハウジング１０と、ハウジング１０のコンタクト収容筒状部１１，１２内に収容される複数の金属製の第１コンタクト（図示せず）とから構成されている。第１コンタクトには、電線が接続される。
【００１６】
第１ハウジング１０は、ＰＢＴ等の絶縁性の合成樹脂を成形することによって形成されるものであり、１列に配列された複数（本実施形態にあっては２個）のコンタクト収容筒状部１１，１２を有している。各コンタクト収容筒状部１１，１２は略箱状の基部１１Ａ，１２Ａから前方（図２における手前側）に延びるよう構成され、それぞれのコンタクト収容筒状部１１，１２の内部には後方に開いたコンタクト収容通路１１Ｃ，１２Ｃが形成されている。各コンタクト収容通路１１Ｃ，１２Ｃ内には第１コンタクトが収容され、各コンタクト収容通路１１Ｃ，１２Ｃの前端側には相手コンタクト（後述する第２コネクタＢの第２コンタクト　）を受容する開口１１Ｂ，１２Ｂが形成されている。そして、コンタクト収容筒状部１１，１２の基部１１Ａ，１２Ａの対向面下縁同士は底壁１４で連結されている。
【００１７】
また、隣接する２個のコンタクト収容筒状部１１，１２の間には、第２コネクタＢと嵌合した際に、相手側の係止部３６とラッチ係合するラッチアーム１７が設けられている。ラッチアーム１７は、その前後方向略中央部の両側縁部分において連結板部１６を介して２個のコンタクト収容筒状部１１，１２間を連結している。ラッチアーム１７の上面はコンタクト収容筒状部１１，１２の上面よりも上方に突出していない。また、ラッチアーム１７は、連結板部１６を中心に上下揺動可能となっている。ラッチアーム１７の前端面はコンタクト収容筒状部１１，１２の前端面と略同一面となり、ラッチアーム１７の後端面は基部１１Ａ，１２Ａの後端面と略同一面となっている。また、ラッチアーム１７の前端には下方に突出する係止突部１８が形成されている。一方、ラッチアームの後端には上方に突出する操作部１９が形成されている。また、ラッチアーム１９の下面には、図３（Ｄ）及び図４（Ｂ）に示すように、係止突部１８から嵌合方向後方へ延びるリブ２０が形成されている。このリブ２０によりラッチアーム１７の剛性を大きくすることができる。
【００１８】
さらに、コンタクト収容筒状部１１，１２の基部１１Ａ，１２Ａを含んだ対向側面上縁同士は第１頂壁１３で連結され、各コンタクト収容筒状部１１，１２の第１頂壁１３よりも前側の対向側面上縁同士は第２頂壁１５で連結されている。第１頂壁１３と第２頂壁１５とは、図２に示すように、段差面１３Ａを介して連続しており、第１頂壁１３と第２頂壁１５とでラッチアーム１７の上方を覆う構造となっている。第１頂壁１３及び第２頂壁１５で請求項１，３，４に規定した「壁」を構成する。なお、第１頂壁１３には、ラッチアーム１７に突出形成された操作部１９が第１頂壁１３の上面よりも突出可能とする切欠１３Ｂが形成されている。
【００１９】
一方、第２コネクタＢは、図１、図５、及び図６に示すように、絶縁性の第２ハウジング３０と、ハウジング３０に取り付けられる複数の金属製の第２コンタクト４０とから構成されている。
第２ハウジング３０は、ＰＢＴ等の絶縁性の合成樹脂を成形することによって形成されるものであり、両コネクタＡ，Ｂを嵌合した際に、第１コネクタＡのコンタクト収容筒状部１１，１２を受容する嵌合部３１，３２を有している。嵌合部３１，３２は、第２ハウジング３０の前面（図５（Ａ）における下面）に開いている。そして、嵌合部３１，３２間には、両コネクタＡ，Ｂを嵌合した際に、第１コネクタＡのラッチアーム１７を受容するラッチアーム受容空間３５が形成されている。一方の嵌合部３１とラッチアーム受容空間３５との間には仕切り壁３３が第２ハウジング３０の底壁から突出形成され、他方の嵌合部３２とラッチアーム受容空間３５との間には仕切り壁３４が第２ハウジング３０の底壁から突出形成されている。ただし、各仕切り壁３３，３４の上方には、両コネクタＡ，Ｂを嵌合した際に、第１コネクタＡの第２頂壁１５を受容する空間３８が形成されている。また、第２ハウジング３０の頂壁の前方側には、両コネクタＡ，Ｂを嵌合した際に、第１コネクタＡの第１頂壁１３の前端側一部を受容する切欠３９が形成されている。
【００２０】
また、ラッチアーム受容空間３５には、両コネクタＡ，Ｂが嵌合した際に、ラッチアーム１７に形成された係止突部１８がラッチ係合する係止部３６が第２ハウジング３０の底壁から突出形成されている。そして、この係止部３６には、ラッチアーム１７の係止突部１８が係止部３６とラッチ係合する際に、ラッチアーム１７に形成されたリブ２０を案内する溝３７が設けられている。溝３７は、係止部３６の前面から嵌合方向後方に向けて後面にいたるまで延びている。
【００２１】
そして、各第２コンタクト４０は、金属板を打抜き及び曲げ加工することによってポスト状に形成され、嵌合部３１，３２後方のハウジング３０の後壁に圧入固定される固定部４１を備えている。また、各第２コンタクト４０は、固定部４１から後方に延びて回路基板（図示せず）上に半田接続される基板接続部４２と、固定部４１から前方に延びて各嵌合部３１，３２内に突出する接触部４３とを具備している。接触部４３は、両コネクタＡ，Ｂが嵌合した際に、第１コネクタＡの第１コンタクトに接触するようになっている。
【００２２】
次に、第１コネクタＡ及び第２コネクタＢを嵌合する際の作用について説明する。
第１コネクタＡの各コンタクト収容筒状部１１，１２内に電線に接続された第１コンタクトを収容しておいて第１コネクタＡを完成しておき、その一方で第２コネクタＢの第２コンタクト４０の基板接続部４２を回路基板上に半田接続しておく。
【００２３】
この状態で、第１コネクタＡと第２コネクタＢとを嵌合すると、第１コネクタＡのコンタクト収容筒状部１１，１２が第２コネクタＢの嵌合部３１，３２内に受容される。このとき、第１コネクタＡの第２頂壁１５が第２コネクタＢの空間３８内に受容され、第１頂壁１３の前端側一部が切欠３９に受容される。また、両コネクタＡ，Ｂの嵌合の際には、第１コネクタＡのラッチアーム１７も第２コネクタＢのラッチアーム受容空間３５内に受容される。このラッチアーム１７の受容の際には、ラッチアーム１７の前端に形成された係止突部１８が第２コネクタＢの係止部３６上を移動しつつラッチアーム１７が上方に変移し、さらに両コネクタＡ，Ｂの嵌合を推し進めることにより、係止突部１８が係止部３６を乗り越えてラッチアーム１７が下方に変移するとともに図１に示すように係止突部１８が係止部３６の後側に位置してラッチ係合する。これにより、両コネクタＡ，Ｂの嵌合固定が達成される。なお、ラッチアーム１７の係止突部１８が係止部３６とラッチ係合する際に、ラッチアーム１７に形成されたリブ２０が係止部３６に形成された溝３７に案内される。このため、第１コネクタＡにおけるコンタクト収容筒状部配列方向の「こじり」を防止することができ、ラッチアーム１７の捩れや撓みを防止することができる。
【００２４】
このように、両コネクタＡ，Ｂが嵌合すると、第１コネクタＡの第１コンタクトと第２コネクタＢの第２コンタクト４０の接触部４３とが接触し、電線と回路基板とが電気的に相互接続されるのである。そして、両コネクタＡ，Ｂの嵌合解除を行う際には、図２（Ａ）の矢印に示すように、ラッチアーム１７の後端に形成された操作部１９を上方から押圧してラッチアーム１７の前端の係止突部１８を上方へ変移させ、係止突部１８の係止部３６に対するラッチ係合を解除すればよいのである。
【００２５】
なお、本実施形態における第１コネクタＡにあっては、隣接する２個のコンタクト収容筒状部１１，１２間を連結するようにラッチアーム１７が設けられており、ラッチアーム１７を覆うように２個のコンタクト収容筒状部１１，１２間を連結する第１頂壁１３及び第２頂壁１５を有するので、コネクタの低背化を図れると共にラッチアーム１７を確実に保護することができる。
【００２６】
一方、第２コネクタＢは、第１コネクタＡのコンタクト収容筒状部１１，１２を受容する嵌合部３１，３２を有するとともに、ラッチアーム１７とラッチ係合する係止部３６を有するので、第１コネクタＡと相まって、ラッチアーム１７を保護できる低背のコネクタ組立体とすることができる。
以上、本発明の実施形態について説明してきたが、本発明はこれに限定されず、種々の変更、改良を行うことができる。
【００２７】
例えば、第１コネクタＡの第１コンタクトを電線に、第２コネクタＢの第２コンタクト４０を回路基板に接続し、電線と回路基板とを相互接続するようにしているが、電線と電線、回路基板と回路基板とを相互接続するようにしてもよい。また、本実施形態にあっては、第１コネクタＡのラッチアーム１７の後端に操作部１９を上方へ向けて突出形成し、この操作部１９の上端を切欠１３Ｂから上方に突出させ、この操作部１９の上端を図２（Ａ）の矢印方向に押圧してラッチ係合を解除するようにしているが、図７及び図８に示す変形例のように変更することができる。
【００２８】
即ち、図７に示す変形例の場合には、第１コネクタＡのラッチアーム１７の後端上面に、１対の突起２１，２２を工具Ｔの先端が入り込む間隔をあけて設置する。そして、ラッチアーム１７の突起２１，２２よりも前方側上面に工具Ｔの先端の前方への移動を防止する突起２３を更に設置する。これにより、ラッチアーム１７の後端上面に工具Ｔの先端の受容部２４を画定しておく。そして、工具Ｔの先端を切欠１３Ｂから図７（Ａ）の矢印方向に挿入して受容部２４においてラッチアーム１７の後端上面を押圧し、ラッチ係合を解除するのである。この図７に示す変形例によれば、図２に示すように、操作部１９を第１コネクタＡの第１頂壁１３の上面よりも突出させる必要はなく、よりコネクタの低背化を図ることができる。
【００２９】
また、図８に示す変形例の場合には、第１コネクタＡのラッチアーム１７の後端を第１ハウジング１０の後端面よりも更に後方に延長した延長部２５を設ける。そして、この延長部２５の上面を図８（Ａ）の矢印方向に押圧してラッチ係合を解除するのである。この図８に示す変形例にあっても、図２に示すように、操作部１９を第１コネクタＡの第１頂壁１３の上面よりも突出させる必要はなく、よりコネクタの低背化を図ることができる。
【００３０】
【発明の効果】
以上説明したように、本発明のうち請求項１に係るコネクタ組立体によれば、第１コネクタが、１列に配列された複数のコンタクト収容筒状部、隣接する２個の前記コンタクト収容筒状部間を連結して配設されたラッチアーム、及びラッチアームを覆うように前記２個のコンタクト収容筒状部間を連結する壁を有するので、コネクタの低背化を図れると共にラッチアームを確実に保護することができる。そして、第２コネクタが、前記コンタクト収容筒状部を受容する嵌合部、及び前記ラッチアームとラッチ係合する係止部を有するので、第１コネクタと相まって、ラッチアームを保護できる低背のコネクタ組立体を提供することができる。
【００３１】
また、本発明のうち請求項２に係るコネクタ組立体によれば、請求項１記載の発明において、前記第１コネクタの前記ラッチアームが嵌合方向に延びるリブを有し、前記第２コネクタの前記係止部が前記リブを案内する溝を有するので、コネクタ組立体の低背化を達成しつつ、ラッチアームの剛性を大きくでき、且つ第１コネクタにおけるコンタクト収容筒状部配列方向の「こじり」を防止することができ、ラッチアームの捩れや撓みを防止することができる。
【００３２】
本発明のうち請求項３に係るコネクタによれば、１列に配列された複数のコンタクト収容筒状部及び隣接する２個の前記コンタクト収容筒状部間を連結して配設されたラッチアーム、及び該ラッチアームを覆うように前記２個のコンタクト収容筒状部間を連結する壁を有するので、コネクタの低背化を図れると共にラッチアームを確実に保護することができる。
【００３３】
また、本発明のうち請求項４に係るコネクタによれば、１列に配列された複数のコンタクト収容筒状部、隣接する２個の前記コンタクト収容筒状部間を連結して配設されたラッチアーム、及び該ラッチアームを覆うように前記２個のコンタクト収容筒状部間を連結する壁を有する相手コネクタに嵌合するコネクタであって、前記コンタクト収容筒状部を受容する嵌合部、及び前記ラッチアームとラッチ係合する係止部を有するので、ラッチアームを保護できる低背のコネクタ組立体に好適なコネクタとすることができる。
【図面の簡単な説明】
【図１】本発明に係るコネクタ組立体の実施形態を縦方向に断面した状態を表す斜視図である。
【図２】第１コネクタを示し、（Ａ）は斜視図、（Ｂ）は縦方向に断面した状態を表す斜視図である。
【図３】第１コネクタを示し、（Ａ）は平面図、（Ｂ）は正面図、（Ｃ）は背面図、（Ｄ）は底面図、（Ｅ）は右側面図である。
【図４】第１コネクタを示し、（Ａ）は図３（Ｂ）の４Ａ−４Ａ線に沿う断面図、（Ｂ）は図３（Ｂ）の４Ｂ−４Ｂ線に沿う断面図である。
【図５】第２コネクタを示し、（Ａ）は平面図、（Ｂ）は正面図、（Ｃ）は左側面図である。
【図６】第２コネクタを示し、（Ａ）は図５（Ｂ）の６Ａ−６Ａ線に沿う断面図、（Ｂ）は図５（Ｂ）の６Ｂ−６Ｂ線に沿う断面図である。
【図７】第１コネクタの変形例を工具とともに示し、（Ａ）は工具先端を第１コネクタの受容部に挿入する前の斜視図、（Ｂ）は工具先端を受容部においてラッチアームに当接させた状態の縦方向に断面した状態を表す斜視図である。
【図８】第１コネクタの他の変形例を示し、（Ａ）は斜視図、（Ｂ）は縦方向に断面した状態を表す斜視図である。
【図９】（Ａ）は従来例のコネクタの斜視図、（Ｂ）は従来の他の例のコネクタの斜視図である。
【図１０】従来の他の例のコネクタを相手コネクタとともに示す断面図である。
【符号の説明】
１　コネクタ組立体
１１，１２　コンタクト収容筒状部
１３　第１頂壁（壁）
１５　第２頂壁（壁）
１７　ラッチアーム
２０　リブ
３１，３２　嵌合部
３６　係止部
３７　溝
Ａ　第１コネクタ
Ｂ　第２コネクタ
【図１】
2004095346.tif 000003
【図２】
2004095346.tif 000004
【図３】
2004095346.tif 000005
【図４】
2004095346.tif 000006
【図５】
2004095346.tif 000007
【図６】
2004095346.tif 000008
【図７】
2004095346.tif 000009
【図８】
2004095346.tif 000010
【図９】
2004095346.tif 000011
【図１０】
2004095346.tif 000012